(57)【特許請求の範囲】
【請求項１】
演算装置、ネットワークモジュール、並びに、サーバプログラム、データベースを記憶する記憶装置を備えたサーバと、
演算装置、表示部、入力部、カメラ、クライアントプログラムが格納された記憶装置および無線通信モジュールを搭載した、複数台の情報端末と、
操作対象機器に取り付けられる複数個との設備状態表示具と、
を備えたプラント保守操作支援システムであって、
前記設備状態表示具が、第一の色で着色された第一の表示部と、第二の色で着色された第二の表示部と、第一の表示部に設けられた第一の二次元コードと、第二の表示部に設けられた第二の二次元コードと、第一の表示部を表示し第二の表示部を隠す第一の位置および第二の表示部を表示し第一の表示部を隠す第二の位置を往復移動する可動部材と、を備えて構成され、
前記第一の二次元コードが、一意の設備状態ＩＤおよび処理内容情報を含み、
前記第二の二次元コードが、一意の設備状態ＩＤおよび前記第一の二次元コードと異なる処理内容情報を含み、
前記データベースが、操作番号を格納するカラム、設備状態ＩＤを格納するカラム、処理内容を格納するカラム、設備処置記録を格納するカラム、インターロックの解除対象となる操作番号を格納するカラムを含む操作手順テーブルと、一意の設備状態ＩＤを格納するカラムおよび当該設備状態ＩＤと一対一で対応付けられた処理内容情報を格納するカラム含む設備状態管理テーブルと、を備え、
前記クライアントプログラムが、
前記サーバからネットワークを介して前記操作手順テーブルを取得する情報取得手段と、  前記情報端末のカメラで二次元コードを撮像すると、当該二次元コードに含まれる設備状態ＩＤおよび処理内容情報と前記取得した操作手順テーブルの設備状態ＩＤおよび処理内容情報とを照合し、照合情報が一致し、かつ、ロックフラグ情報が非ロックである場合に、前記情報端末の記憶装置の当該設備状態ＩＤと関連付けられた設備処置記録を格納するカラムを処置済みに更新すると共に当該設備処置記録を格納するカラムを処置済みに更新する要求を前記サーバに送信する処置更新手段と、
各操作番号について、ロック中または非ロックの値を有するロック情報を動的に生成するインターロック情報生成手段と、
前記処置更新手段が前記設備処置記録を格納するカラムを更新し、かつ、当該更新されたカラムと関連付けられた操作番号がインターロックの解除対象となる場合に、前記情報端末の記憶装置の当該操作番号と関連付けられたロック情報の値を非ロックに更新するロック情報更新手段と、
を備えることを特徴とするプラント保守操作支援システム。
【請求項２】
さらに、第三の二次元コードを有する設置片、および、第三の二次元コードを有し、設置片と切取線を介して接合される切取片を備えて構成される操作禁止札を備え、
前記データベースが、設備状態ＩＤを格納するカラムおよび設置記録を格納するカラムを有する操作禁止札テーブルを備え、
前記クライアントプログラムの情報取得手段が、前記操作禁止札テーブルを取得することができ、
前記クライアントプログラムが、前記カメラで前記第三の二次元コードが撮像されると、前記情報端末の記憶装置の設置記録を格納するカラムを設置済みに更新すると共に当該設置記録を格納するカラムを設置済みに更新する要求を前記サーバに送信する禁止札管理手段を備えることを特徴とする請求項１に記載のプラント保守操作支援システム。
【請求項３】
前記二次元コードが、ＱＲコード（登録商標）であることを特徴とする請求項１または２に記載のプラント保守操作支援システム。
【請求項４】
前記二次元コードが、操作対象機器の名称と設置場所の情報を含み、
前記クライアントプログラムが、前記カメラで前記二次元コードが撮像されると、前記情報端末に操作対象機器の名称と設置場所の情報を表示することを特徴とする請求項１ないし３のいずれかに記載のプラント保守操作支援システム。
【請求項５】
前記データベースが、設備状態ＩＤと関連づけられた作業マニュアルの情報を含み、
前記クライアントプログラムの情報取得手段が、前記作業マニュアルを取得することができ、
前記クライアントプログラムが、前記カメラで前記第一または第二の二次元コードが撮像されると、前記情報端末の表示部に作業マニュアルを表示することを特徴とする請求項１ないし４のいずれかに記載のプラント保守操作支援システム。
【請求項６】
前記クライアントプログラムが、撮像した二次元コードに含まれる設備状態ＩＤにヒモ付けられたロック情報を格納するカラムの値を取得し、当該値がロック状態である場合に、前記情報端末の表示部にインターロック中である旨の表示を行う手段を備えることを特徴とする請求項１ないし５のいずれかに記載のプラント保守操作支援システム。
【発明の詳細な説明】
【技術分野】
【０００１】
本発明は、二次元コードを利用したプラント保守操作支援システムに関する。
【背景技術】
【０００２】
近年、プラント設備保守作業においては、設備の高度化により多数の機器を扱わなくてはならず、作業が複雑化している。従来行われてきた一連の作業の例を挙げると、作業者は紙のマニュアルに示された手順表に従い、目視にて手順や操作機器を確認しながらバルブの開閉や電源の開閉等の操作を行い、筆記具にて手順表にチェックを入れ、取り扱った機器は操作禁止札を取り付け関係者への目印とする。同様の作業を複数台の機器に対して行う必要があるため、作業者への負荷が大きくなっていた。
このため、作業の簡素化を支援するシステムが提案されている。例えば、特許文献１にある支援システムは、設備の操作対象となる機器に配設されたＩＣタグと携帯端末とサーバで構成され、作業者は携帯端末を操作してＩＣタグを読み取り、携帯端末上で機器の状態の確認や機器の操作を行う。
【先行技術文献】
【特許文献】
【０００３】
【特許文献１】特許第４７８２０６３号公報
【発明の概要】
【発明が解決しようとする課題】
【０００４】
ＩＣタグやＲＦＩＤを用いた操作支援システムは、読み取りに専用リーダを用いるため、コストが高い課題があったほか、混信が生じやすく、これによって読み取りの確度が悪化するという課題もあった。加えて、作業者や関係者が、肉眼で一瞥して機器の状態を把握することができないという課題もあった。
また、選択入力ボタン操作や暗証番号入力などの複雑な操作を行う必要があるインターロック管理では、操作ミスによるヒューマンエラーが生じるおそれがあった。
【０００５】
そこで、本発明は、低コストで、読み取り確度が高く、作業者や関係者が一瞥して機器の状態を認識することができ、簡易で確実なインターロック処理のできるプラント保守支援システムを提供することを目的とする。
【課題を解決するための手段】
【０００６】
本発明のプラント保守操作支援システムは、演算装置、ネットワークモジュール、並びに、サーバプログラム、データベースを記憶する記憶装置を備えたサーバと、演算装置、表示部、入力部、カメラ、クライアントプログラムが格納された記憶装置および無線通信モジュールを搭載した、複数台の情報端末と、操作対象機器に取り付けられる複数個との設備状態表示具と、を備えたプラント保守操作支援システムであって、前記設備状態表示具が、第一の色で着色された第一の表示部と、第二の色で着色された第二の表示部と、第一の表示部に設けられた第一の二次元コードと、第二の表示部に設けられた第二の二次元コードと、第一の表示部を表示し第二の表示部を隠す第一の位置および第二の表示部を表示し第一の表示部を隠す第二の位置を往復移動する可動部材と、を備えて構成され、前記第一の二次元コードが、一意の設備状態ＩＤおよび処理内容情報を含み、前記第二の二次元コードが、一意の設備状態ＩＤおよび前記第一の二次元コードと異なる処理内容情報を含み、前記データベースが、操作番号を格納するカラム、設備状態ＩＤを格納するカラム、処理内容を格納するカラム、設備処置記録を格納するカラム、インターロックの解除対象となる操作番号を格納するカラムを含む操作手順テーブルと、一意の設備状態ＩＤを格納するカラムおよび当該設備状態ＩＤと一対一で対応付けられた処理内容情報を格納するカラム含む設備状態管理テーブルと、を備え、前記クライアントプログラムが、前記サーバからネットワークを介して前記操作手順テーブルを取得する情報取得手段と、前記情報端末のカメラで二次元コードを撮像すると、当該二次元コードに含まれる設備状態ＩＤおよび処理内容情報と前記取得した操作手順テーブルの設備状態ＩＤおよび処理内容情報とを照合し、照合情報が一致し、かつ、ロックフラグ情報が非ロックである場合に、前記情報端末の記憶装置の当該設備状態ＩＤと関連付けられた設備処置記録を格納するカラムを処置済みに更新すると共に当該設備処置記録を格納するカラムを処置済みに更新する要求を前記サーバに送信する処置更新手段と、各操作番号について、ロック中または非ロックの値を有するロック情報を動的に生成するインターロック情報生成手段と、前記処置更新手段が前記設備処置記録を格納するカラムを更新し、かつ、当該更新されたカラムと関連付けられた操作番号がインターロックの解除対象となる場合に、前記情報端末の記憶装置の当該操作番号と関連付けられたロック情報の値を非ロックに更新するロック情報更新手段と、を備えることを特徴とする。
【０００７】
上記プラント保守操作支援システムにおいて、さらに、第三の二次元コードを有する設置片、および、第三の二次元コードを有し、設置片と切取線を介して接合される切取片を備えて構成される操作禁止札を備え、前記データベースが、設備状態ＩＤを格納するカラムおよび設置記録を格納するカラムを有する操作禁止札テーブルを備え、前記クライアントプログラムの情報取得手段が、前記操作禁止札テーブルを取得することができ、前記クライアントプログラムが、前記カメラで前記第三の二次元コードが撮像されると、前記情報端末の記憶装置の設置記録を格納するカラムを設置済みに更新すると共に当該設置記録を格納するカラムを設置済みに更新する要求を前記サーバに送信する禁止札管理手段を備えることを特徴としてもよい。
上記プラント保守操作支援システムにおいて、前記二次元コードが、ＱＲコード（登録商標）であることを特徴としてもよい。
上記プラント保守操作支援システムにおいて、前記二次元コードが、操作対象機器の名称と設置場所の情報を含み、前記クライアントプログラムが、前記カメラで前記二次元コードが撮像されると、前記情報端末に操作対象機器の名称と設置場所の情報を表示することを特徴としてもよい。
上記プラント保守操作支援システムにおいて、前記データベースが、設備状態ＩＤと関連づけられた作業マニュアルの情報を含み、前記クライアントプログラムの情報取得手段が、前記作業マニュアルを取得することができ、前記クライアントプログラムが、前記カメラで前記第一または第二の二次元コードが撮像されると、前記情報端末の表示部に作業マニュアルを表示することを特徴としてもよい。
上記プラント保守操作支援システムにおいて、前記クライアントプログラムが、撮像した二次元コードに含まれる設備状態ＩＤにヒモ付けられたロック情報を格納するカラムの値を取得し、当該値がロック状態である場合に、前記情報端末の表示部にインターロック中である旨の表示を行う手段を備えることを特徴としてもよい。
【発明の効果】
【０００８】
本発明によれば、二次元コードを用いたので、汎用の情報端末によるソフトウェア処理だけで安価に専用リーダを実現することができる。
また、読み取り方式が光学式であるため、混信の影響を受けにくく読み取り確度を向上させることができる。
また、機器状態表示具により視覚的に明確になるため、作業者や関係者が一瞥して機器の状態を認識することが可能とすることができる。
さらに、情報端末上に機器の情報や操作手順が表示されるため、従来の紙のマニュアルを携帯する必要がなくなり、作業者の負担を低減することができる。
【図面の簡単な説明】
【０００９】
【図１】第一実施形態に係るシステムの全体構成図である。
【図２】第一実施形態に係る操作手順テーブルの説明図である。
【図３】第一実施形態に係る設備状態管理テーブルの説明図である。
【図４】第一実施形態に係る設備状態表示具の第一の表示状態を示す説明図である。
【図５】第一実施形態に係る設備状態表示具の第二の表示状態を示す説明図である。
【図６】第一実施形態に係るシステムを用いた作業手順を示すフローチャートである。
【図７】第一実施形態に係る操作手順表のイメージ図である。
【図８】第二実施形態に係る操作禁止札管理テーブルの説明図である。
【図９】第二実施形態に係る作業禁止札の取付態様の説明図である。
【図１０】第二実施形態に係る作業禁止札の説明図である。
【図１１】第二実施形態に係るシステムを用いた作業手順を示すフローチャート（１／２）である。
【図１２】第二実施形態に係るシステムを用いた作業手順を示すフローチャート（２／２）である。
【発明を実施するための形態】
【００１０】
本発明のプラント保守操作支援システムは、保守作業の手順のデータベースを格納したサーバと情報端末を連携させ、作業者に情報端末を使って操作手順内容等の情報にアクセスさせるとともに、二次元コードを使って操作対象機器の状態を照合させることで、作業員が容易かつ確実に操作対象機器の操作を行うことを可能とするものである。
【００１１】
以下に、本発明のシステムの主な機能と特徴を記す。
（１）操作手順表表示機能：
作業者が情報端末上でクライアントプログラムを立ち上げると、事前に汎用の表計算ソフトで作成され、上長により承認されたのちサーバに保存された操作手順表が、サーバから手動または自動でダウンロードされ、画面上に表示されることで機器操作のステップ確認を支援する。作業者は、作業完了後、操作手順表に結果を反映し、ネットワークを介してサーバに結果を保存する。
（２）操作禁止札作成機能：
従来装置と同様、操作手順表をもとに操作禁止札（二次元コード付）をプリンタにより自動作成する。
（３）操作対象機器照合機能：
操作対象盤や操作対象機器に取り付けた二次元コードを情報端末の内蔵カメラで読み取り、予め登録した操作対象機器情報と照合し、誤認防止をはかる。
（４）操作状況連係機能：
操作実施状況を情報端末間で共有する。これにより、複数班での並行作業が可能である。また、サーバでも進捗状況を随時確認できる。
（５）操作手順インターロック機能：
予め関連付けされた操作ステップが操作完了しないと次のステップに進めないインターロック機能を設け、誤操作防止をはかる。
（６）ノウハウ表示機能：
操作時に必要な特殊工具やバルブ等の特性等の操作ノウハウ資料を予め登録しておくことで、操作時に表示する。
（７）操作禁止札照合機能：
操作禁止札に印刷された二次元コードを情報端末内蔵カメラで読み取り照合し、回収時の照合作業を支援する。
【００１２】
≪第一実施形態≫
本発明の第一実施形態に係るプラント保守操作支援システムを説明する。最初に本実施形態に係る構成を説明し、続いて操作手順を説明する。
＜構成＞
図１に電力発電プラントを適用例とした本実施形態に係るシステムの概要を示す。本実施形態では、「電力センター」および「発電所」の２つの施設に跨がるシステムを例示している。
【００１３】
［電力センター］
電力センターには、マスターサーバ１と、情報端末３と、プリンタ９とが設置されている。
マスターサーバ１は、操作手順や機器の情報をデータベース化して保存し、情報端末等からの要求に応じて送信し、後述する操作対象機器２０１〜２０Ｙの処理情報を収集して管理するものであり、電力センター内に常設されている。
マスターサーバ１は、図示しない演算装置、ネットワークモジュール、サーバプログラムおよびデータベースが格納された記憶装置を備えて構成される。マスターサーバ１は、ネットワークモジュールを介してＬＡＮ（Ｌｏｃａｌ  Ａｒｅａ  Ｎｅｔｗｏｒｋ）５，６に接続されており、後述するレプリケーションサーバ２やその他の端末と情報通信を行うことが可能である。後述する情報端末３と同様に、データベースに情報を入力し、更新することが可能である。データベースが保有する操作手順テーブル１１および設備状態管理テーブル１２については後述する。
【００１４】
情報端末３１〜３ｋについては、［発電所］の箇所で後述する。
プリンタ９は、マスターサーバ１の指令を受け、後述の操作禁止札３００や二次元コード４３、４４を印刷するためのラベルプリンタである。
【００１５】
ＬＡＮ５は、施設「電力センター」−「発電所」間を繋ぐ情報通信網である専用線２００を介して通信接続されている。専用線２００に代え、ＶＰＮ（Ｖｉｒｔｕａｌ  Ｐｒｉｖａｔｅ  Ｎｅｔｗｏｒｋ）により拠点間を接続してもよい。
ＬＡＮ６はそれぞれ、施設「電力センター」内、「発電所」内の情報通信網であり、ＬＡＮ６同士はＬＡＮ５および専用線２００を介して通信接続されており、施設「電力センター」、「発電所」内、および、施設「電力センター」−「発電所」間を跨いだ装置同士の通信が可能である。なお、ＬＡＮ５は必須の構成要素ではなく、客先要件によってはＬＡＮ５を設置せずに、ＬＡＮ６同士を専用線２００を介して通信接続することも可能である。
【００１６】
マスターサーバ１のデータベースが保有する操作手順テーブル１１および設備状態管理テーブル１２について説明する。
図２に示す操作手順テーブル１１は、操作対象機器２０１〜２０Ｙの操作手順やインターロック状況処置の処置完了状態などの情報をテーブル形式で格納しており、作業者が後述する情報端末３１〜３Ｘを用いて手順を参照したり、作業管理者がサーバ（１，２）や情報端末３１〜３Ｘを用いて作業の進捗状況を管理したりする目的に供するものである。
操作手順テーブル１１は、操作項目番号カラムと、インターロック番号カラムと、設備状態ＩＤカラムと、操作項目（機種名）カラムと、処理内容カラムと、処置記録カラムとを備えている。なお、点線で図示したロック情報は、後述するようにクライアントプログラムで動的に生成される情報である。
【００１７】
操作項目番号カラムには、操作手順毎に割り当てられた番号が記録されている。
インターロック番号カラムには、特定の操作項目番号に係る操作項目の処置が完了していない場合にロックがかかるよう、対象となる操作項目番号が記録されている。
【００１８】
設備状態ＩＤカラムには、操作対象機器２０１〜２０Ｙの状態と関連づけられたＩＤ番号が記録されている。操作対象機器２０１〜２０Ｙの状態は、「開」／「閉」の二つの場合が多いが、状態がゼロの場合や三つ以上である場合もある。本実施形態では、全ての機器を管理対象とせず、操作対象となる操作対象機器２０１〜２０Ｙのみを管理対象としている。全ての機器を管理対象とした場合、全ての機器にＩＤを付与する必要があり煩雑であるからである。
【００１９】
操作項目（機種名）カラムには、操作対象機器２０１〜２０Ｙの名称が記録されている。
処理内容カラムには、目的とする操作の機器の状態、例えば「開」／「閉」、「ＯＮ」／「ＯＦＦ」、「入」／「切」、「押下」／「引上」等が記録されている。
処置記録カラムには、処置が完了した日時が記録されている。
【００２０】
以上のカラムを有する操作手順テーブル１１をクライアントプログラムが取得すると、ロック情報がロジックにより動的に生成される。ロック情報は、各操作項目がロック状態にあるか否かを管理するフラグであり、ロック情報が自動生成されることにより、操作手順テーブル１１のカラムがあたかも一つ増えたかのようになる。操作項目がロックされていれば「ロック中」と記録され、ロックされていなければ「非ロック」と記録される。
【００２１】
図３に示す設備状態管理テーブル１２は、操作手順テーブル１１を作るためのデータテーブルであり、各操作対象機器の設置場所、処理内容などの情報をテーブル形式で格納している。
設備状態管理テーブル１２は、設備状態ＩＤカラムと、事業所名カラムと、区分カラムと、場所カラムと、操作項目（機種名）カラムと、処理内容（状態）カラムとを備えている。
【００２２】
設備状態ＩＤカラムと操作項目（機種名）カラムは、操作手順テーブル１１の各カラムに選択入力されるデータの一覧が記録されている。
事業所名カラムには、○○発電所などの発電所名が記録されている。
区分カラムには、操作対象機器２０１〜２０Ｙが設けられた設備の名称が記録されている。
場所カラムには、設備が設置された場所（ブロック）の名称が記録されている。
設備状態カラムには、操作対象機器２０１〜２０Ｙの取り得る状態が記録されている。
【００２３】
事業所名カラム、区分カラム、場所カラム、操作項目（機種名）カラムおよび処理内容（状態）カラムは設備状態ＩＤと紐付けられており、操作手順テーブル１１に設備状態ＩＤが入力されると、設備状態管理テーブル１２を参照し、これらのデータが操作手順テーブル１１に自動的に反映される。
【００２４】
［発電所］
発電所には、操作対象機器２０１〜２０Ｙと、レプリケーションサーバ２と、情報端末３１〜３Ｘと、設備状態表示具４と、無線ＬＡＮ親機７と、が設置されている。
レプリケーションサーバ２は、マスターサーバ１のコピーサーバであり、操作手順や機器の情報をデータベース化して保存し、情報端末等からの要求に応じて送信し、後述する操作対象機器２０１〜２０Ｙの処理情報を収集して管理するものであり、発電所内に常設されている。  レプリケーションサーバ２は、後述する情報端末３１〜３Ｘと情報通信し、データベースを更新する主体として働き、マスターサーバ１とは定期的（例えば１秒間隔）に情報通信し、マスターサーバ１内の操作手順テーブル１１をレプリケーションサーバ２内の操作手順テーブル１１に同期させるよう要求する。
なお、本実施形態では、拠点間の通信量を減らすためにレプリケーションサーバ２を設置したが、レプリケーションサーバ２を設置せずに直接マスターサーバ１と通信するように構成してもよい。
【００２５】
情報端末３１〜３Ｘは、レプリケーションサーバ２から操作手順テーブル１１を取得し、作業者に作業手順や機器の情報を表示するための端末である。また、操作対象機器２０１〜２０Ｙに取り付けられた二次元コードを読み取り、当該コードに含まれる設備状態ＩＤや処理内容情報をレプリケーションサーバ２に送信し、これらの情報を表示する機能も有している。
【００２６】
情報端末３１〜３Ｘは、ノートＰＣ、タブレット、携帯電話、スマートフォン、携帯用ＰＣ、ＰＤＡ、ウェアラブル端末等の端末であり、図示しない演算装置、カメラおよびクライアントプログラムが格納された記憶装置、表示部、入力部およびネットワークモジュールを備えている。情報端末３１〜３Ｘとして望ましい形態として、キーボード入力を不要として入力を容易とし、操作情報を比較的大きな画面で見やすくするため、タブレットが挙げられる。図１に示すように、情報端末３１〜３Ｘ同士がそれぞれ異なる種別の端末から構成されてもよい。
【００２７】
情報端末３１〜３Ｘは、ネットワークモジュールを介してＬＡＮ６に接続されており、レプリケーションサーバ２と情報通信する。情報端末３１〜３Ｘは、作業現場に携帯されるため、無線ＬＡＮ親機７との無線通信８によりＬＡＮ６に接続されている。
無線ＬＡＮ親機７は、発電所内に複数個設置されており、少なくとも操作対象機器２０１〜２０Ｙの周辺では無線通信を行うことが可能になっている。
【００２８】
情報端末３１〜３Ｘは、カメラにより二次元コードを撮像することが可能である。このカメラは、ノートＰＣ、タブレット、携帯電話、スマートフォン、携帯用ＰＣ（ポケットＰＣ）、ＰＤＡ、ウェアラブル端末等の端末に備えられた汎用ものを用いることもできるし、これらの端末に外付けされたものを用いてもよい。
【００２９】
設備状態表示具４は、機器の状態を視覚的に表現し、かつ、機器の状態に対応する二次元コードを表示させる器具である。ここでいう、「機器の状態」とは、操作手順テーブル１１の処理内容カラムおよび設備状態管理テーブル１２の設備状態カラムに格納される情報であり、例えば、「開」／「閉」、「ＯＮ」／「ＯＦＦ」、「入」／「切」、「押下」／「引上」等に相当する。
【００３０】
設備状態表示具４は、図４、図５に示すように、本体４０と、第一の色で着色された第一の表示部４１と、第二の色で着色された第二の表示部４２と、第一の表示部４１に設けられた第一の二次元コード４３と、第二の表示部に設けられた第二の二次元コード４４と、第一の表示部４１を表示し第二の表示部４２を隠す第一の位置および第二の表示部４２を表示し第一の表示部４１を隠す第二の位置を往復移動する可動部材４５と、本体４０を貫通するワイヤ４６を備えて構成される。
実施形態例に係る設備状態表示具４は、筒状の長尺部材である本体４０の下方部に第一の表示部４１が設けられ、上方部に第二の表示部４２が設けられており、本体４０に挿着された筒状の短尺部材が可動部材４５を構成する。
【００３１】
第一の表示部４１は緑色に着色されており、第二の表示部４２は赤色に着色されている。
可動部材４５が第一の位置にあるとき（図４参照）には、第一の表示部４１が表示され第二の表示部４２が隠される。この状態では、作業者は緑色の第一の表示部４１を視認することにより、定常運転状態であることを即座に視認することが可能である。第一の表示部４１には、例えば、「閉」、「ＯＦＦ」の文字を表示する。
可動部材４５が第二の位置にあるとき（図５参照）には、第二の表示部４２が表示され第二の表示部４１が隠される。この状態では、作業者は赤色の第二の表示部４２を視認することにより、非定常運転状態であることを即座に視認することが可能である。第一の表示部４２には、例えば、「開」、「ＯＮ」の文字を表示する。
【００３２】
第一の表示部４１に設けられた第一の二次元コード４３と第二の表示部４２に設けられた第一の二次元コード４４は、例えば、ＱＲコード（登録商標）であり、一意の設備状態ＩＤや処理内容情報等が含まれている。ここで、二次元コード４３または４４の代わりにバーコードを用いることも可能であるが、二次元コードであるＱＲコードに比較して、含むことのできる情報量が少ないため、ＱＲコードを用いることが望ましい。バーコードには含めることのできない多くの情報を情報端末３１〜３Ｘに表示させることで、作業者はこれらの情報を見て、操作対象機器２０１〜２０Ｙの取り違えがないかチェックすることができるからである。また、ＱＲコードは、ラベルの向きが不規則でも読み取りができ、比較的暗いところでも読み取りができるという利点もある。
【００３３】
作業完了後は、状態表示具４の可動部材４５を処理内容に適合するよう、第一の表示部４１もしくは第二の表示部４２のどちらかが視認できるようスライドさせる。この状態で視認できる第一の二次元コード４３もしくは第二の二次元コード４４を情報端末３１〜３Ｘに備えられたカメラで撮像することにより、クライアントプログラムが操作対象機器２０１〜２０Ｙの設備状態の値を更新する。設備状態の値の更新が実行されると、クライアントプログラムはサーバプログラムと通信を行い、操作手順に関連づけられた他の操作のインターロックを解除する処理を行う。なお、カメラによる撮像は、クライアントプログラム内の一機能として実現することが好ましい。
状態表示具４は二次元コードが取り付けられているため、通常タブレット等に内蔵されているカメラを使用することができ、また、可動部材４５により機器状態の表示を容易に切り替えることができるため、ＩＣタグを用いる場合に比べて専用のリーダ／ライタを使わずに済み、安価にシステムを構築できる。
【００３４】
＜作業手順＞
本実施形態に係るシステムを使った電力発電プラントにおける一作業者の作業を一例として説明する。
以下の説明では、設備を定常運転状態から点検等のために立ち下げることを想定し、前提として、事前に各機器には設備状態表示具４が取り付けられており、作業者は情報端末３１を用いながら操作対象機器２０１を操作するものとする。
図６に作業フローを示す。以下、このフローにしたがって、ＳＴＥＰ６００〜ＳＴＥＰ６１２に詳細を示す。
【００３５】
（ＳＴＥＰ６００）
作業者は、情報端末３１を立ち上げ、クライアントプログラムを起動する。
クライアントプログラムは、レプリケーションサーバ２と無線通信し、操作手順テーブル１１の情報を取得し、情報端末３１の記憶装置上の操作手順テーブル１１に記憶する。
この際、他の操作対象機器２０２〜２０ｘの処置記録を一覧表示してもよく、この場合は複数班に分かれて作業する場合に、従来行ってきたトランシーバー等を使った連絡による確認が省略され、作業の簡素化、連絡ミスの防止、確認のための時間が削減されるという効果が奏される。
【００３６】
（ＳＴＥＰ６０１）
作業者は、情報端末３１を持って操作対象機器２０１の設置場所まで移動する。
【００３７】
（ＳＴＥＰ６０２）
クライアントプログラムは、情報端末３１に操作手順表を作業者に示す（図７参照）。本実施形態では、インターロック中の操作項目（図７では作業Ｎｏ２−２）を赤字で示すことにより、作業者がインターロック中であるか否かを一瞥して把握することを可能としている。クライアントプログラムは、一定時間（例えば、数秒〜数十秒）毎に操作手順テーブル１１の差分データを取得し、操作手順表を更新する。
作業者は、作業を実施しようとしている操作項目のロックフラグ情報が「ロック中」の場合は、「非ロック」になるまで待機する。当該情報が「非ロック」の場合はＳＴＥＰ６０３に移る。
【００３８】
（ＳＴＥＰ６０３）
作業者は、露出状態にある設備状態表示具４の二次元コード４３または４４を情報端末３１のカメラで読み取る。二次元コード４３または４４には、少なくとも設備状態ＩＤと処理内容情報（バルブの開／閉やスイッチのＯＮ／ＯＦＦ等）が含まれている。
クライアントプログラムは、二次元コードに組み込まれた、設備状態ＩＤ、機器の名称、設置場所、および、処理内容情報等の情報を取得し、情報端末３１の記憶装置に記憶し、表示させる。作業者はこれらの情報を見て、操作対象機器２０１に誤認がないかチェックすることができる。
【００３９】
（ＳＴＥＰ６０４）
クライアントプログラムは、ＳＴＥＰ６０３で読み取った二次元コードに含まれる処理内容情報と操作対象機器２０１の処理内容カラムに記録される情報とを照合する。照合の結果、一致する場合は認証成功の表示を画面に表示し、ＳＴＥＰ６０５へ移る。不一致の場合は認証失敗の表示を画面に表示する。認証失敗の場合は、操作対象機器２０に誤りがあるので、作業者は正しい操作対象機器２０のところまで移動する（ＳＴＥＰ６０１に移る）。
【００４０】
（ＳＴＥＰ６０５）
クライアントプログラムは、操作対象機器２０１の操作マニュアルに加え操作時に必要な特殊工具やバルブ等の特性といったノウハウ情報等を情報端末３１の表示部に表示させる。操作マニュアル等の情報は、例えば電子書籍の形態、ＰＤＦの形態で提供される。
【００４１】
（ＳＴＥＰ６０６）
作業者は、ＳＴＥＰ６０５で表示された操作マニュアル等の情報を参照して操作対象機器２０１の操作を行う。
【００４２】
（ＳＴＥＰ６０７）
ＳＴＥＰ６０６の操作が完了した後、実施した処理内容（バルブの開／閉やスイッチのＯＮ／ＯＦＦ等）に合わせて操作対象機器２０１に取り付けられた設備状態表示具４の可動部材４５を移動して位置の切り換えを行う（操作前に第一の位置にあった場合は第二の位置に移動し、第一の位置にあった場合は第二の位置に移動する。）。設備状態表示具４は、第一もしくは第二の位置に、着色とともに「開」／「閉」等の表示がされているので、情報端末３１〜３Ｘを持っていない関係者でも肉眼で一瞥して操作対象機器２０１の状態が分かる。
【００４３】
（ＳＴＥＰ６０８）
作業者は、露出状態にある設備状態表示具４の二次元コード４３または４４を情報端末３１のカメラで読み取る（ここで読み取る二次元コードは、ＳＴＥＰ６０１とは異なる二次元コードとなる。）。
【００４４】
（ＳＴＥＰ６０９）
クライアントプログラムは、ＳＴＥＰ６０８で読み取った二次元コードに含まれる処理内容情報と操作対象機器２０１の処理内容カラムに記録される情報とを照合する。照合の結果、一致する場合は認証成功の表示を画面に表示し、ＳＴＥＰ６１０に移る。不一致の場合は認証失敗の表示を画面に表示する。認証失敗の場合は、作業手順に誤りがあるので、作業者は正しい作業を行うべくＳＴＥＰ６０６または６０７に移る。
【００４５】
（ＳＴＥＰ６１０）
クライアントプログラムは、操作対象機器２０１の設備状態ＩＤに対応する処置記録カラムに処置日時を記録する。このように、カメラで二次元コードを読み取ることで簡単に処置記録カラムや設備状態カラムの値を更新することができ、複数回のボタン操作などの入力操作は不要である。
【００４６】
（ＳＴＥＰ６１１）
クライアントプログラムは、更新情報をレプリケーションサーバ２に送信し、レプリケーションサーバ２上の操作手順テーブル１１を更新するよう要求する。
レプリケーションサーバ２のサーバプログラムは、情報端末３１より更新要求を受け、操作手順テーブル１１に更新情報を反映させる。また、サーバプログラムは、他の作業者の情報端末３２〜３Ｘからの更新要求に対しても同様の処理を並列して行い、操作手順テーブル１１を更新する。これにより、各操作対象機器２０２〜２０ｘの状態および操作項目の進捗状況を一括管理することが可能となる。
【００４７】
（ＳＴＥＰ６１２）
クライアントプログラムは、レプリケーションサーバ２で更新された操作手順テーブル１１を取得し、情報端末３２〜３Ｘ内の操作手順テーブル１１を更新する。情報端末３１とマスターサーバ１との間の送受信データは、差分値とし、データ量を極力少なくして通信時間を短くすることが好ましい。
クライアントプログラムは、操作手順テーブル１１において、処置日時が記録された行に記録されたインターロック番号と同じ番号を持つ操作項目番号に対応するロックフラグ情報を「非ロック」に更新する。これにより、当該操作項目のインターロックが解除される。  
【００４８】
（ＳＴＥＰ６１３）
レプリケーションサーバ２上で更新された操作手順テーブル１１は、再度、情報端末３１に取得され、更新された操作手順テーブル１１に基づく作業手順表が表示部に表示される。
【００４９】
（ＳＴＥＰ６１４）
作業者は、ＳＴＥＰ６１２で表示された情報を元に、全操作項目が完了しているかどうか判断し、自身の担当作業がある場合、次の操作対象機器の設置場所へ向かい、ＳＴＥＰ６０１以降の作業を行う。
全操作項目が完了している場合もしくは自身の担当作業がこれ以上ない場合、作業者はクライアントプログラムを終了して、保守作業は終了する。
【００５０】
以上、本実施形態のプラント保守操作支援システムによれば、二次元コードを汎用の情報端末のカメラで撮像しソフトウェア処理するため、ＩＣタグやＲＦＩＤを使ったシステムで必要な専用リーダを不要とし、混信の影響も受けにくいので、低コストで読み取り精度の高いシステムを構築することができる。
また、操作前後で二次元コードを読み取り照合し、作業者のボタン入力等を省略することができるので、簡易で確実なインターロック処理が可能となる。
さらに、設備状態表示具４により、作業者や関係者が肉眼で一瞥して機器の状態を認識することが可能とすることができる。
【００５１】
≪第二実施形態≫
本発明の第二実施形態に係るプラント保守操作支援システムを説明する。以下では、第一実施形態と同様の部分についての説明は割愛し、異なる部分を中心に説明する。
＜構成＞
第一実施形態との構成の違いは、マスターサーバ１およびレプリケーションサーバ２のデータベースが操作禁止札管理テーブル１３を保有する点と、操作対象機器２０１〜２０Ｙに、操作禁止札３００が付加的に取り付けられる点である。その他の構成は第一実施形態と同一である。
【００５２】
操作禁止札管理テーブル１３は、図８に示すように、操作禁止札３００に記録される情報や、発行状況等の情報を汎用の表計算ソフトで作成したものをインポートしてテーブル形式で格納しており、作業者および管理者が操作禁止札３００の管理を行う目的に供するものである。
【００５３】
図９に示すように、操作禁止札３００は、従来の保守作業に準じて機器の操作禁止を表示するために操作対象機器２０１〜２０Ｙに取り付けられる。
操作禁止札３００は、図１０に示すように、切取線３０１と切取線３０２が付けられ、切取線３０２を境として上の領域３０３と下の領域３０４に、「操作禁止」の表示とともに、保守作業に関する情報、例えば、作業名、機器名称、設置場所、作業内容、取付年月日と、照合Ｎｏ．と、これらの情報が含まれた二次元コード３０５ａ、３０５ｂが併せて印刷されている。
【００５４】
切取線３０１は、円状になっており、切取線３０１内部の領域を切り離すことで、札に穴が開けられるようになっている。また、切取線３０２に沿って下の領域３０４を切り離すことができる。
また、操作禁止札３００は、設備内での水や油などによる汚損を防ぐべく耐水性加工がされている。
二次元コード３０５ａ、３０５ｂは同一の情報が格納されたＱＲコード（登録商標）であり、一意の設備状態ＩＤや処理内容情報等が含まれている。
【００５５】
以下、図１１および図１２を参照しながら本実施形態に係るシステムの作業手順を説明する。
＜作業手順＞
本実施形態に係るシステムを使った電力発電プラントにおける一作業者の作業を一例として説明する。
以下の説明では、設備を定常運転状態から点検等のために立ち下げること、および、点検等の終了後に設備を立ち上げて定常運転状態に戻すことを想定し、前提として、作業者は情報端末３１を用いながら操作対象機器２０１を操作するものとする。
【００５６】
［事前準備］
（ＳＴＥＰ１０００）
作業者はマスターサーバ１を操作し、マスターサーバ１に保存された操作禁止札管理テーブル１３を読み込み、各作業完了に割り当てられた照合Ｎｏ．の各情報を、プリンタ９により操作禁止札３００に印刷する。
操作禁止札管理テーブル１３において、印刷した札照合Ｎｏ．に対する札状態カラムは「発券済」に更新され、発券されていない札照合Ｎｏ．に対する札状態カラムは「未発行」に更新される。
作業者は、機器の操作完了後、操作禁止札３００の切取線３０１内部の領域を切り離して穴を開け、輪ゴム等を通して準備する。
【００５７】
[立ち下げ時]
（ＳＴＥＰ１００１）
作業者は、情報端末３１および操作禁止札３００を持って操作対象機器２０１の設置場所まで移動する。そして、情報端末３１を立ち上げ、クライアントプログラムを起動する。
（ＳＴＥＰ１００２）
クライアントプログラムは、レプリケーションサーバ２より操作手順テーブル１１および操作禁止札管理テーブル１３を取得し、情報端末３１に表示する。
【００５８】
（ＳＴＥＰ１００３）
作業者は、操作手順テーブル１１に従って機器の操作を行う。
作業者は操作対象機器２０１に取付ける操作禁止札の半券の二次元コード３０５をカメラで読み取る。
（ＳＴＥＰ１００４）
輪ゴム等を通して操作禁止札３００を機器に取付ける。
作業者は、操作禁止札３００の切取線３０２に沿って、操作禁止札３００の下の領域３０４を切り取り、半券として保管する。
【００５９】
（ＳＴＥＰ１００５）
作業者は、全操作項目が完了しているかどうか判断し、自身の担当作業がある場合、次の操作対象機器の設置場所へ向かい、ＳＴＥＰ１０００以降の作業を行う。
全操作項目が完了している場合もしくは自身の担当作業がこれ以上ない場合、作業者はクライアントプログラムを終了して、保守作業は終了する。
【００６０】
［立ち上げ時］
（ＳＴＥＰ１１００）
作業者は、情報端末３１を立ち上げ、クライアントプログラムを起動する。
（ＳＴＥＰ１１０１）
クライアントプログラムは、レプリケーションサーバ２より操作手順テーブル１１および操作禁止札管理テーブル１３を取得し、情報端末３１に表示する。
（ＳＴＥＰ１１０２）
作業者は操作対象機器２０１に取付けられている操作禁止札３００の二次元コード３０５をカメラで読み取る。
【００６１】
（ＳＴＥＰ１１０３）
クライアントプログラムはＳＴＥＰ１１０２で読み取った２つの二次元コードを照合する。
照合の結果、情報が一致した場合はＳＴＥＰ１１０４へと移り、情報が一致しなかった場合はＳＴＥＰ１１０１へと戻る。
【００６２】
（ＳＴＥＰ１１０４、ＳＴＥＰ１１０５）
作業者は操作手順テーブル１１に従って操作対象機器２０１を操作し、操作禁止札３００を回収する。操作対象機器２０１の操作手順は、第一実施形態で説明済みなので、ここでは説明を割愛する。
【００６３】
（ＳＴＥＰ１１０６）
クライアントプログラムは操作禁止札管理テーブル１３の対照Ｎｏ．に対応する札状態カラムを「回収済」に更新し、レプリケーションサーバ２上の操作禁止札管理テーブル１３を同様に更新するよう要求する。
（ＳＴＥＰ１１０７）
作業者は、操作禁止札管理テーブル１３を参照して全操作項目が完了しているかどうか判断し、自身の担当作業がある場合、次の操作対象機器の設置場所へ向かい、ＳＴＥＰ１０００以降の作業を行う。
全操作項目が完了している場合もしくは自身の担当作業がこれ以上ない場合、作業者はクライアントプログラムを終了して、保守作業は終了する
【００６４】
以上、本実施形態のプラント保守操作支援システムによれば、従来の操作禁止札を用いた作業に二次元コードを組み込み、汎用の情報端末のカメラで撮像しソフトウェア処理するため、紙による手作業に比較して作業を容易にし、誤入力を防ぐという効果がある。
【００６５】
以上、本発明の実施形態について説明したが、本発明の技術的範囲は上記実施形態の記載に限定されるものではない。上記実施形態には様々な変更・改良を加えることが可能であり、そのような変更または改良を加えた形態のものも本発明の技術的範囲に含まれる。
【符号の説明】
【００６６】
１  マスターサーバ
２  レプリケーションサーバ
３１〜３Ｘ  情報端末
４  設備状態表示具
５，６  ＬＡＮ
７  無線ＬＡＮ親機
８  無線ＬＡＮ
９  プリンタ
２０１〜２０Ｙ  操作対象機器
４０  本体
４１  第一の表示部
４２  第二の表示部
４３  第一の二次元コード
４４  第二の二次元コード
４５  可動部材
４６  ワイヤ
２００  ＶＰＮ
３００  操作禁止札
３０１  切取線
３０２  切取線
３０３  上の領域
３０４  下の領域
３０５ａ，３０５ｂ  二次元コード
【図１】
0006440485.tif 000002
【図２】
0006440485.tif 000003
【図３】
0006440485.tif 000004
【図４】
0006440485.tif 000005
【図５】
0006440485.tif 000006
【図６】
0006440485.tif 000007
【図７】
0006440485.tif 000008
【図８】
0006440485.tif 000009
【図９】
0006440485.tif 000010
【図１０】
0006440485.tif 000011
【図１１】
0006440485.tif 000012
【図１２】
0006440485.tif 000013